(57)【要約】  【課題】好適により多くの枚数を綴じ込むことが可能なリングファイル及び綴じ具を提供する。  【課題を解決するための手段】紙葉類を綴じるための環状体を構成する綴じ具１を表紙体２に取り付けているファイルにおいて、前記環状体の所定位置に一対のヒンジを設け、該ヒンジよりも先方の部位１１２を傾倒させ得るようにした。  【選択図】図２
2004243756.tif 000002
【特許請求の範囲】
【請求項１】
紙葉類を綴じるための環状体を構成する綴じ具を表紙体に取り付けているファイルにおいて、
前記環状体の所定位置に一対のヒンジを設け、該ヒンジよりも先方の部位を傾倒させ得るようにしたことを特徴とするファイル。
【請求項２】
前記環状体は、開閉可能な一対のリング片を具備し、これらリング片の先端部を係合させその間を閉じることでなるものであり、
前記リング片の一方に第一のヒンジを設けるとともに、両リング片の先端部を相対的に回転可能であるように係合させる係合構造を構築しこれを第二のヒンジとした請求項１記載のファイル。
【請求項３】
前記リング片の一方の先端部には、両リング片の間を閉じたときに他方の先端部に向けて突き出ている突出部を形成し、
他方の先端部には、両リング片の間を閉じたときに前記突出部を収容する軸穴を形成して、
前記突出部と前記軸穴との凹凸係合により突出部を回転軸、軸穴を軸受けとして両リング片の先端部が相対的に回転可能となるような係合構造とした請求項２記載のファイル。
【請求項４】
前記軸穴の開口縁が前記リング片の開閉方向に拡張するように、その内面の少なくとも一部を切り欠いて欠損部を形成した請求項３記載のファイル。
【請求項５】
前記突出部の先端部分を球面状に処理した請求項３又は４記載のファイル。
【請求項６】
前記リング片の一方の突端に部分球状のアール面を形成した請求項２〜５記載のファイル。
【請求項７】
両リング片の突端に部分球状のアール面を形成した請求項２〜６記載のファイル。
【請求項８】
前記ヒンジの角度を保持するストッパーを具備する請求項１〜７記載のファイル。
【請求項９】
前記ストッパーは前記ヒンジを介して前記環状体を構成する一方の部材に設けられた押接部と、凹部が設けられた他方の部材の表面とにより構成されており、
押接部が他方の部材の表面に押圧を加えながら凹部に挿入されることにより前記ヒンジの角度を保持する請求項８記載のファイル。
【請求項１０】
前記ストッパーは前記他方の部材の端部に凹部を有し、該凹部に前記押接部を挿入することにより前記ヒンジの角度を直伸状態に保持する請求項９記載のファイル。
【請求項１１】
前記押接部は弾性部材と当接部材とからなり、弾性部材はその一方が前記一方の部材の所定箇所に固定されるとともに他方において当接部材を支持し、該当接部材が他方の部材に当接する請求項９又は１０記載のファイル。
【請求項１２】
前記弾性部材はコイルばねからなるとともに、前記当接部材は球状体からなる請求項１１記載のファイル。
【請求項１３】
前記環状体は、綴じ具を取り付けている表紙体の取付面に対して略垂直に延伸する一対の立柱部と、これら立柱部の先端同士を連結するように湾曲若しくは屈曲するアーチ部とを具備するものであり、
前記立柱部と前記アーチ部との境界にそれぞれヒンジを設けている請求項１〜１２記載のファイル。
【請求項１４】
前記立柱部の少なくとも一方が直線状に伸びるものである請求項１３記載のファイル。
【請求項１５】
前記表紙体は、内向面に綴じ具を取り付けている裏表紙と、裏表紙に連なる背表紙と、背表紙に連なり前記裏表紙と対向する表表紙とを内包しており、
前記一対のヒンジを、前記裏表紙の内向面より前記背表紙の幅寸法に略匹敵する距離離間した位置に設けている請求項１〜１４記載のファイル。
【請求項１６】
前記表紙体は、内向面に綴じ具を取り付けている裏表紙と、裏表紙に連なる背表紙と、背表紙に連なり前記裏表紙と対向する表表紙とを内包しており、
前記裏表紙と前記表表紙とを開閉するときに、前記環状体におけるヒンジよりも先方の部位を傾倒させていない状態では通過可能とし、かつ前記先方の部位を傾倒させた状態では通過不能とするような開口を表表紙に成形した請求項１〜１５記載のファイル。
【請求項１７】
紙葉類を綴じるための環状体を構成する綴じ具において、
前記環状体の所定位置に一対のヒンジを設け、該ヒンジよりも先方の部位を傾倒させ得るようにしたことを特徴とする綴じ具。
【請求項１８】
前記環状体は、開閉可能な一対のリング片を具備し、これらリング片の先端部を係合させその間を閉じることでなるものであり、
前記リング片の一方に第一のヒンジを設けるとともに、両リング片の先端部を相対的に回転可能であるように係合させる係合構造を構築しこれを第二のヒンジとした請求項１７記載の綴じ具。
【請求項１９】
前記リング片の一方の先端部には、両リング片の間を閉じたときに他方の先端部に向けて突き出ている突出部を形成し、
他方の先端部には、両リング片の間を閉じたときに前記突出部を収容する軸穴を形成して、
前記突出部と前記軸穴との凹凸係合により突出部を回転軸、軸穴を軸受けとして両リング片の先端部が相対的に回転可能となるような係合構造とした請求項１８記載の綴じ具。
【請求項２０】
前記軸穴の開口縁が前記リング片の開閉方向に拡張するように、その内面の少なくとも一部を切り欠いて欠損部を形成した請求項１９記載の綴じ具。
【請求項２１】
前記突出部の先端部分を球面状に処理した請求項１９又は２０記載の綴じ具。
【請求項２２】
前記リング片の一方の突端に部分球状のアール面を形成した請求項１８〜２１記載の綴じ具。
【請求項２３】
両リング片の突端に部分球状のアール面を形成した請求項１８〜２２記載の綴じ具。
【請求項２４】
前記ヒンジの角度を保持するストッパーを具備する請求項１７〜２３記載の綴じ具。
【請求項２５】
前記ストッパーは前記ヒンジを介して前記環状体を構成する一方の部材に設けられた押接部と、凹部が設けられた他方の部材の表面とにより構成されており、
押接部が他方の部材の表面に押圧を加えながら凹部に挿入されることにより前記ヒンジの角度を保持する請求項２４記載の綴じ具。
【請求項２６】
前記ストッパーは前記他方の部材の端部に凹部を有し、該凹部に前記押接部を挿入することにより前記ヒンジの角度を直伸状態に保持する請求項２５記載の綴じ具。
【請求項２７】
前記押接部は弾性部材と当接部材とからなり、弾性部材はその一方が前記一方の部材の所定箇所に固定されるとともに他方において当接部材を支持し、該当接部材が他方の部材に当接する請求項２５又は２６記載の綴じ具。
【請求項２８】
前記弾性部材はコイルばねからなるとともに、前記当接部材は球状体からなる請求項２７記載の綴じ具。
【請求項２９】
前記環状体は、綴じ具を取り付けている表紙体の取付面に対して略垂直に延伸する一対の立柱部と、これら立柱部の先端同士を連結するように湾曲若しくは屈曲するアーチ部とを具備するものであり、
前記立柱部と前記アーチ部との境界にそれぞれヒンジを設けている１７〜２７記載の綴じ具。
【請求項３０】
前記立柱部の少なくとも一方が直線状に伸びるものである請求項２９記載の綴じ具。
【発明の詳細な説明】
【技術分野】
【０００１】
本発明は、紙葉類を綴じ込むためのファイル及び綴じ具に関する。
【背景技術】
【０００２】
紙葉類、言い換えるならばリフィル（替え用紙）その他種々のシート状をなすものを綴じるためのファイルは広範に流通している。そのうち、環状体を構成する綴じ具を表紙体に取り付けたいわゆるリングファイルとして、例えば下記特許文献１、特許文献２に記載されているようなものが既知である。これらは、開閉可能な環状体を立ち上げている基盤部を裏表紙の内向面に接合することによってなるものである。
【特許文献１】特開２００２−１７８６７８号公報
【特許文献２】特開２０００−３４３８６７号公報
【発明の開示】
【発明が解決しようとする課題】
【０００３】
上記の如きファイルにおいて、綴じ込むことができる紙葉類の最大枚数は、まず表紙体の背表紙の幅寸法により規定される。しかしながら、実際には背表紙の幅寸法に匹敵する枚数の紙葉類を綴じ込むことが可能であるわけではない。多くの場合、綴じ具の環状体の先端側即ち表表紙側は湾曲若しくは屈曲してアーチ形状をなすため、このアーチ形状よりも基端側即ち裏表紙側にある部分の寸法に応じて綴じ込み可能な枚数が規制されてしまう。さらに、環状体は開閉可能なものであることが通常であり、その開閉の位置によっても綴じ込み可能な紙葉類の枚数は制限される。そして、背表紙の幅寸法の内に収まるように環状体を形成するならば、綴じ込み可能な枚数は減殺されることとなる。勿論、環状体を十分大きくして綴じ込むことができる枚数を増大させることも可能であるが、この場合には環状体の先端側が表表紙より外方に突出し、例えば複数のファイルを並べたときに環状体の突出部分が他のファイルに干渉するというようにファイルの収納等において不具合を生じさせるおそれがある。
【０００４】
以上の問題に鑑みて、本発明は、好適により多くの枚数を綴じ込むことが可能なリングファイル及び綴じ具を提供しようとするものである。
【課題を解決するための手段】
【０００５】
上述した課題を解決すべく、本発明では、紙葉類を綴じるための環状体を構成する綴じ具を表紙体に取り付けているファイルにおいて、前記環状体の所定位置に一対のヒンジを設け、該ヒンジよりも先方の部位を傾倒させ得るようにした。このようなものであるならば、環状体を大きくして綴じ込み可能な枚数を確保できるとともに、その先端側を必要に応じて折り畳めばファイルの収納等において妨げとならない。
【０００６】
前記環状体が、開閉可能な一対のリング片を具備し、これらリング片の先端部を係合させその間を閉じることでなるものであるとき、前記リング片の一方に第一のヒンジを設けるとともに、両リング片の先端部を相対的に回転可能であるように係合させる係合構造を構築しこれを第二のヒンジとすれば、構造の煩雑化を避けることができる。
【０００７】
より具体的には、前記リング片の一方の先端部に、両リング片の間を閉じたときに他方の先端部に向けて突き出ている突出部を形成し、他方の先端部には、両リング片の間を閉じたときに前記突出部を収容する軸穴を形成して、前記突出部と前記軸穴との凹凸係合により突出部を回転軸、軸穴を軸受けとして両リング片の先端部が相対的に回転可能となるような係合構造とすることが好ましい。
【０００８】
さらに、前記軸穴の開口縁が前記リング片の開閉方向に拡張するように、その内面の少なくとも一部を切り欠いて欠損部を形成しておけば、両リング片の間を閉じる際に突出部を軸穴に容易に導くことができ、逆に両リング片を開放する際には突出部を軸穴より容易に脱離させることができる。
【０００９】
両リング片の間を閉じる際に好適に突出部が軸穴へ挿入されるよう位置決めさせるためには、前記突出部の先端部分を球面状に処理したものが好ましい。
【００１０】
両リング片の間を閉じる際に突出部を軸穴へ好適に案内させるためには、前記リング片の一方の突端に部分球状のアール面を形成したものが好ましく、両リング片の突端に部分球状のアール面を形成したものとすれば、紙葉類を取り扱う際に綴じ穴が第二のヒンジに引っかかりにくいものとすることができる。
【００１１】
また、前記ヒンジをある角度でロックがかかるようにするためには、前記ヒンジの角度を保持するストッパーを具備するものとすればよい。そうすることにより、ヒンジより先方の部位が不意に傾倒したり、ヒンジよりも先方の部位が不意に起立してしまい、他のファイル等を引っかけたりするというような事態を回避することができ、効率的な紙葉類の保管を実現させながらも紙葉類の取り扱いを好適に行えるものとすることができる。
【００１２】
ロックする角度を適宜設定できるようにするには、前記ストッパーは前記ヒンジを介して前記環状体を構成する一方の部材に設けられた押接部と、凹部が設けられた他方の部材の表面とにより構成されており、押接部が他方の部材の表面に押圧を加えながら凹部に挿入されることにより前記第一のヒンジの角度を保持するものが好ましい。そうすることにより、凹部の位置を適宜設定することによりヒンジをロックする角度を適宜設定することができる。また、ロックした状態から一定以上の力を加えることで押接部が他方の部材の表面をスライドしながら凹部の箇所を外れることによりロックが解除されるようになる。このようなものであれば、使用者はヒンジをロックする動作及びロックを解除する動作を好適に行うことができる。
【００１３】
前記ヒンジを直伸状態でロックするためには、前記ストッパーは前記他方の部材の端部に凹部を有し、該凹部に前記押接部を挿入することにより前記第一のヒンジの角度を直伸状態に保持するものが望ましい。
【００１４】
ストッパーの仕様を適宜設定することを可能とするには、前記押接部は弾性部材と当接部材とからなるものとし、弾性部材はその一方が前記一方の部材の所定箇所に固定されるとともに他方において当接部材を支持し、該当接部材が他方の部材に当接するものとするのが望ましい。このようなものであれば、弾性部材の弾性強度及び当接部材の形状を適宜設定することが可能となる。さらに他方の部材に設けた凹部の位置、形状も併せて設定することにより、ヒンジを保持する強度を適切なものに設定することができる。具体的には、前記弾性部材はコイルばねからなるとともに、前記当接部材は球状体からなるものとするのが好ましい。
【００１５】
また、前記環状体は、綴じ具を取り付けている表紙体の取付面に対して略垂直に延伸する一対の立柱部と、これら立柱部の先端同士を連結するように湾曲若しくは屈曲するアーチ部とを具備するものとし、前記立柱部と前記アーチ部との境界にそれぞれヒンジを設けておくならば、ヒンジの存在が紙葉類を綴じ込む際の妨げとならない。
【００１６】
前記立柱部の少なくとも一方が直線状に伸びるものであるならば、該立柱部を利用して紙葉類を好適に綴じてゆける。
【００１７】
前記表紙体は、内向面に綴じ具を取り付けている裏表紙と、裏表紙に連なる背表紙と、背表紙に連なり前記裏表紙と対向する表表紙とを内包するものとし、前記一対のヒンジを、前記裏表紙の内向面より前記背表紙の幅寸法に略匹敵する距離離間した位置に設けてあれば、背表紙の幅寸法に匹敵する枚数の紙葉類を綴じ込むことが可能となる。
【００１８】
そして、前記裏表紙と前記表表紙とを開閉するときに、前記環状体におけるヒンジよりも先方の部位を、傾倒させていない状態では通過可能とし、傾倒させた状態では通過不能とするような開口を表表紙に成形するならば、表紙体を畳んで閉じた状態で環状体の先方の部位を傾倒させることにより表紙体の開成を抑止し得るものとなる。
【発明の効果】
【００１９】
以上に詳述した本発明によれば、好適により多くの枚数を綴じ込むことが可能なリングファイルを実現できる。また、既存のリングファイルでは、環状体の先方の部位、言い換えるならばアーチ部の嵩を加味して背表紙の幅寸法を定める必要があったが、該アーチ部を傾倒可能としたことにより背表紙の幅寸法をより小さくすることができ、その結果紙葉類の収容効率を高めた、コンパクトなファイルを作ることが可能となる。
【発明を実施するための最良の形態】
【００２０】
以下、本発明の一実施形態を、図面を参照して説明する。図１ないし図４に示すものは、本発明の一実施形態に係るファイルである。このものは、紙葉類を綴じるための綴じ具１を、表紙体２に取り付けたものである。
【００２１】
表紙体２は、例えば、裏表紙２１と、裏表紙２１の側縁に連なる背表紙２２と、背表紙２２の側縁に連なる表表紙２３とを内包する一体成形品である。綴じ具１は、該表紙体２の裏表紙２１の内向面、背表紙２２の傍らに取り付けてある。なお、表表紙２３に形成した開口２４に関しては、後述する。
【００２２】
綴じ具１は、紙葉類を綴じ込む環状体を構成するものである。綴じ具１は、一対のリング片１１、１２と、これら両リング片１１、１２の先端部の間を開閉可能とする開閉機構１３とを具備する。一対のリング片１１、１２は、閉じた状態で綴じ具１の取付面たる裏表紙２１の内向面より略垂直に立ち上がる平面視略Ｕ字形状をなし、環状体の主要な構成要素となる。また、一対のリング片１１、１２は、それぞれ別個の基板１３１、１３２より突出している。互いに別体をなす一対の基板１３１、１３２は、相対的に回転可能であるように背表紙２２寄りの側縁部で結合している。これら一対の基板１３１、１３２を主体として、両リング片１１、１２を開閉駆動する開閉機構１３を構築してある。即ち、一方の基板１３１がその側縁部を中心に回転して他方の基板１３２より離間すると両リング片１１、１２の先端部の間が開かれ、一方の基板１３１が逆に回転して他方の基板１３２と重なり合うと両リング片１１、１２の先端部の間が閉じられる。因みに、ばね等の付勢手段（図示しない）により、一方の基板１３１と他方の基板１３２とが離間する方向にプリロードを加えてある。基板１３１の回転操作は、例えば、操作レバー１３３を上げ下げすることを通じて行われる。但し、開閉機構１３には種々の既存の機構を採用することができ、図示例には限定されない。例えば、一対のリング片１１のうち、一方のリング片１１の基端部を基板に対して固定し、他方のリング片１２の基端部を前記基板に対して軸受けを介し回転可能に取り付け、当該他方のリング片１２の基端部の一部に回転軸心から変位した部位を設けて、そこを板バネで付勢するようにしてもよい。
【００２３】
図５等に示すように、リング片の一方である第一のリング片１１は、基端を一方の基板１３１に固定した立柱部１１１と、立柱部１１１の先端より伸び出るアーチ部１１２とを具備する。立柱部１１１は、概ね円柱状をなし、両リング片１１、１２の間を閉じた状態で裏表紙２１の内向面に対して略垂直に（厳密には、平面視背表紙２２寄りに若干傾いて）延伸する。アーチ部１１２は、その断面形状が円形をなす、湾曲した弓形の部材である。立柱部１１１の先端とアーチ部１１２の基端とは、相欠きとなっている。この相欠き構造において立柱部１１１とアーチ部１１２とが重なり合う部位を貫通するピン１１３を挿入して、立柱部１１１の先端とアーチ部１１２の基端とを連結する。立柱部１１１の先端とアーチ部１１２とは、ピン１１３を回転軸として相対的に回転可能である。即ち、ピン１１３を介在させることによって第一のヒンジを構築している。ピン１１３の軸方向は、両リング片１１、１２の間を閉じた状態で裏表紙２１の内向面に対して略平行となる。結果として、図７等に示すように、アーチ部１１２は、立柱部１１１と略同一平面上に存在し立柱部１１１とアーチ部１１２とで平面視Ｊ字形状をなすような起立位置Ｒと、該起立位置Ｒより約９０度回転し裏表紙２１の内向面に対して略平行となるような傾倒位置Ｆとの間で変位可能となる。
【００２４】
リング片の他方である第二のリング片１２は、基端を他方の基板１３２に固定した立柱部１２１を具備する。立柱部１２１は、概ね円柱状をなし、両リング片１１、１２の間を閉じた状態で裏表紙２１の内向面に対して略垂直に直線状に延伸する。第二のリング片１２の立柱部１２１は、第一のリング片１１の立柱部１２１の側方、反背表紙２２側に位置する。通常、紙葉類を該ファイルに綴じ込む際には、対象となる紙葉類に第二のリング片１２の立柱部１２１を挿して通し、しかる後に両リング片１１、１２の間を閉じるようにする。
【００２５】
図６に示すように、第一のリング片１１のアーチ部１１２の先端は、その一方の側端を切り欠くことによって相対的に延伸方向に突出させた突端１１２ａを有する。第二のリング片１２の立柱部１２１の先端もまた、その側端を切り欠くことによって相対的に延伸方向に突出させた突端１２１ａを有する。これらのうち、一方の突端（図示例では、アーチ部１１２の先端にある突端１１２ａ）の側面に、略円柱状をなす突出部１１２ｂを形成する。但し、突出部１１２ｂの形状は円柱状には限られず、例えば円錐状をなすようなものであっても構わない。また、突出部１１２ｂは、反背表紙２２側に向けて突出していることが好ましい。並びに、他方の突端（図示例では、立柱部１２１の先端にある突端１２１ａ）の側面に、前記突出部１１２ｂを収容し得る軸穴１２１ｂを形成する。因みに、本実施形態では、他方の突端１２１ａに形成した軸穴１２１ｂの開口縁が両リング片１１、１２の開閉方向に拡張するように、その内面の少なくとも一部を切り欠いて欠損部１２１ｃを形成してある。図示例では、立柱部１２１側の突端１２１ｂに形成した軸穴１２１ｂの内周の所定部位より立柱部１２１の延伸方向に、言い換えるならばアーチ部１１２のある方に向けて傾斜するテーパ状の欠損部１２１ｃを形成してある。しかして、両リング片１１、１２の間を閉じるとき、アーチ部１１２の先端がリング片１１、１２の開閉方向に沿って移動して立柱部１２１の先端に近接する。その際、アーチ部１１２の先端にある突端１１２ａと立柱部１２１の先端にある突端１２１ａとが重なり合う状態となり、一方の突端１１２ａに形成した突出部１１２ｂが他方の突端１２１ａに形成した軸穴１２１ｂの内に収容される。このように突出部１１２ｂと軸穴１２１ｂとが凹凸係合すると、第一のリング片１１の先端部となるアーチ部１１２の先端と、第二のリング片１２の先端部となる立柱部１２１の先端とが、突出部１１２ｂを回転軸、軸穴１２１ｂを軸受けとして相対的に回転可能となる。即ち、突出部１１２ｂと軸穴１２１ｂとの凹凸係合によって構築した係合構造を第二のヒンジとしている。突出部１１２ｂの軸方向及び軸穴１２１ｂの軸心方向は、両リング片１１、１２の間を閉じた状態で裏表紙２１の内向面に対して略平行となる。結果として、アーチ部１１２は、立柱部１２１と略同一平面上に存在するような起立位置Ｒと、該起立位置Ｒより約９０度回転し裏表紙２１の内向面に対して略平行となるような傾倒位置Ｆとの間で変位可能となる。
【００２６】
上記のように、一対の立柱部１１１、１２１の先端同士をアーチ部１１２で連結して環状体を構成している。そして、環状体におけるヒンジより先方の部位、即ちアーチ部１１２は、必要に応じて傾倒させ得るものとなっている。また、両リング片１１、１２の間を閉じた状態で、一対の立柱部１１１、１２１の先端がそれぞれ裏表紙２１の内向面より背表紙２２の幅寸法に略匹敵する距離だけ離間した位置にあるように、これら立柱部１１１、１２１の形状、寸法等を設定している。つまり、両リング片１１、１２の間を閉じた状態では、一対のヒンジが、裏表紙２１の内向面より背表紙２２の幅寸法に略匹敵する距離だけ離間した位置にある。
【００２７】
加えて、本実施形態では、図８に示すように、表表紙２３に開口２４を設けている。この開口２４は、起立位置Ｒにあって傾倒させていない状態でのアーチ部１１２の正面視形状を包含するように、かつ傾倒位置Ｆにあって傾倒させた状態でのアーチ部１１２の正面視形状の少なくとも一部を包含しない形状に成形してある。即ち、アーチ部１１２を、傾倒させていない状態では開口２４をスムーズに通過可能とする一方、傾倒させた状態ではスムーズに通過できないようにしている。より具体的には、傾倒させた状態でのアーチ部１１２の正面視形状に概ね対応する開口縁の一部を内方に張り出させて舌片２４１を形成しており、この舌片２４１が傾倒させたアーチ部１１２の所定部位に当たってその通過を阻む。舌片２４１は、例えば、開口２４における反背表紙２２側の領域に形成する。このような構成により、アーチ部１１２を傾倒させていない状態で表紙体２を折り畳んで裏表紙２１と表表紙２３とを接近させしかる後にアーチ部１１２を傾倒させることで、表紙体２が不用意に開いてしまうことを有効に防止することができる。勿論、閉じ込んでいる紙葉類の閲覧や紙葉類の閉じ込みあるいは取り外しの際には、アーチ部１１２を起立位置Ｒまで回転させてから表表紙２３を開くようにすればよい。
【００２８】
本実施形態によれば、紙葉類を綴じるための環状体を構成する綴じ具１を表紙体２に取り付けているファイルにおいて、前記環状体の所定位置に一対のヒンジを設け、該ヒンジよりも先方の部位であるアーチ部１１２を傾倒させ得るようにしたため、環状体を大きくして、即ち立柱部１１１、１２１をより長くして綴じ込み可能な枚数を確保できるとともに、その先端側にあるアーチ部１１２を必要に応じて折り畳めばファイルの収納等において妨げとならない。
【００２９】
前記環状体が、開閉可能な一対のリング片１１、１２を具備し、これらリング片１１、１２の先端部を係合させその間を閉じることでなるものであり、前記リング片の一方に第一のヒンジを設けるとともに、両リング片１１、１２の先端部を相対的に回転可能であるように係合させる係合構造を構築しこれを第二のヒンジとしたため、構造の煩雑化を避けることができる。
【００３０】
前記リング片の一方の先端部に、両リング片１１、１２の間を閉じたときに他方の先端部に向けて突き出ている突出部１１２ｂを形成し、他方の先端部には、両リング片１１、１２の間を閉じたときに前記突出部１１２ｂを収容する軸穴１２１ｂを形成して、前記突出部１１２ｂと前記軸穴１２１ｂとの凹凸係合により突出部１１２ｂを回転軸、軸穴１２１ｂを軸受けとして両リング片１１、１２の先端部が相対的に回転可能となるような係合構造としたため、両リング片１１、１２の先端部の間を閉じるための係合構造と第二のヒンジとを一体のものとすることができ、構造の簡単化や部品点数の削減につながる。
【００３１】
さらに、前記軸穴１２１ｂの開口縁が前記リング片１１、１２の開閉方向に拡張するように、その内面の少なくとも一部を切り欠いて欠損部１２１ｃを形成してあるため、両リング片１１、１２の間を閉じる際に突出部１１２ｂを軸穴１２１ｂに容易に導くことができ、逆に両リング片１１、１２を開放する際には突出部１１２ｂを軸穴１２１ｂより容易に脱離させることができる。
【００３２】
また、前記環状体は、綴じ具１を取り付けている表紙体２の取付面に対して略垂直に延伸する一対の立柱部１１１、１２１と、これら立柱部１１１、１２１の先端同士を連結するように湾曲若しくは屈曲するアーチ部１１２とを具備するものとし、前記立柱部１１１、１２１と前記アーチ部１１２との境界にそれぞれヒンジを設けてあるため、ヒンジの存在が紙葉類を綴じ込む際の妨げとならない。
【００３３】
前記立柱部の少なくとも一方である第二のリング片１２の立柱部１２１は直線状に伸びるものであり、該立柱部１２１を利用して紙葉類を好適に綴じてゆける。
【００３４】
前記表紙体２は、内向面に綴じ具１を取り付けている裏表紙２１と、裏表紙２１に連なる背表紙２２と、背表紙２２に連なり前記裏表紙２１と対向する表表紙２３とを内包するものであり、前記一対のヒンジを、前記裏表紙２１の内向面より前記背表紙２２の幅寸法に略匹敵する距離離間した位置に設けてあるため、背表紙２２の幅寸法に匹敵する枚数の紙葉類を綴じ込むことが可能となる。
【００３５】
そして、前記裏表紙２１と前記表表紙２３とを開閉するときに、前記環状体におけるヒンジよりも先方の部位であるアーチ部１１２を、傾倒させていない状態では通過可能とし、傾倒させた状態では通過不能とするような開口２４を表表紙２３に成形してあるため、表紙体２を畳んで閉じた状態で環状体の先方の部位を傾倒させることにより表紙体２の開成を抑止し得るものとなる。
【００３６】
次に、本発明の他の実施形態について図面を参照して説明する。以下の説明において、上記実施形態と対応する箇所には同一の符号を用いるとともにその詳細な説明は省略するものとする。
【００３７】
図９ないし図１３に示すものは本発明の他の実施形態に係るファイルである。このものは、紙葉類を綴じるための綴じ具１０を表紙体２に取り付けたものである。
【００３８】
綴じ具１０は上記実施形態における綴じ具１と形状及び構造は略同様であるが、第一のヒンジは図９のように、アーチ部１１２を起立位置ＲでロックすることができるストッパーＳＴを具備している。また、図９、図１０（Ａ）及び図１０（Ｂ）に示すように第一のリング片１１の先端部となるアーチ部１１２の突端１１２ｄと、第二のリング片１２の先端部となる立柱部１２１の突端１２１ｄとに部分球状のアール面を形成しているとともに、半球状の突起である突出部１１２ｅを回転軸、該突出部１１２ｅの形状に略対応した凹陥である軸穴１２１ｅを軸受けとして相対的に回転可能な係合構造を構築しこれを第二のヒンジとしている。
【００３９】
第一のヒンジに設けられたストッパーＳＴを図１１（Ａ）及び図１１（Ｂ）を用いて具体的に説明すると、ストッパーＳＴは、第一のリング片１１を構成する一方の部材たる立柱部１１１側に設置された押接部Ｐと、立柱部１１１に対して第一のヒンジを介して位置している他方の部材たるアーチ部１１２の凹部Ｑを含む端部表面とから構成されるものであり、押接部Ｐがアーチ部１１２を押圧しながら凹部Ｑに押接部Ｐの先端を挿入することにより、アーチ部１１２を起立位置Ｒでロックするものである。押接部Ｐは立柱部１１１に設けられた破線に示す設置空間Ｘの底部ｘにその一端を支持された弾性部材たるコイルばねＳＰと、該コイルばねＳＰの他端側に設置された当接部材たる球状体Ｂとで構成されている。
【００４０】
側断面図である図１２に示すように、アーチ部１１２を起立位置Ｒとしたとき（図１２（Ａ））、球状体ＢはコイルばねＳＰの弾性により付勢されながらアーチ部１１２の端部に位置する凹部Ｑに押圧箇所ｐが位置した状態となっている。その状態からアーチ部１１２を傾倒させると、図１２（Ｂ）のように押圧箇所ｐがアーチ部１１２の端部表面上を移動する。このとき、凹部Ｑに隣接する凸部Ｔに押圧箇所ｐが到達するまでの間には、アーチ部１１２の端部が押接部Ｐを押さえ込みコイルばねＳＰを圧縮させる力が働き、その力が使用者には抵抗感となって感じられる。さらにアーチ部１１２を傾倒位置Ｆへと傾倒させると図１２（Ｃ）のように押圧箇所ｐが凸部Ｔを越えて第二のリング片１２の側面へ移動するとともに、今度はコイルばねＳＰが伸張する。コイルばねＳＰが伸張するとき、前記した抵抗感が無くなり使用者は操作感が一気に軽くなるように感じる。このような押圧箇所ｐが凸部Ｔを越える際の一連の動作は、コイルばねＳＰは圧縮状態から伸張状態へ移行することにより使用者に心地よいクリック感を与えている。一方、傾倒位置Ｆから起立位置Ｒへ移行させるときは、押圧箇所ｐが凸部Ｔを越える際に使用者に前記同様のクリック感を与えるとともに、押圧箇所ｐが凸部Ｔから凹部Ｑに向けて移動する際にコイルばねＳＰが伸張する力がアーチ部１１２をロック状態である起立位置Ｒへ誘導する。
【００４１】
そして、この実施形態における第二のヒンジは両リング片１１、１２の間を開いた状態から閉じる際、図１３（Ａ）のように第一のリング片１１の先端部たる突端１１２ｄが立柱部１２１に接した状態でスライドすることにより突出部１１２ｅを軸穴１２１ｅの方向へ導いているとともに、突出部１１２ｅと軸穴１２１ｅが何れかの方向に多少ずれた状態で誘導されても先端部分を球面状に処理された半球状の突出部１１２ｅが軸穴１２１ｅに接しながら軸穴１２１ｅの内部へ収納され、係合構造を構築する（図１３（Ｂ））。また両リング片１１、１２を開放する際には突出部１１２ｅを軸穴１２１ｅより容易に脱離させることができる。
【００４２】
以上のような構成とすることにより、紙葉類を綴じるための環状体を構成する綴じ具１０を表紙体２に取り付けているファイルにおいて、前記第一のヒンジの角度を保持するストッパーＳＴを設け、ヒンジにロックがかかるようにした。このようなものであれば、ヒンジより先方の部位たるアーチ部１１２が不意に傾倒したり、起立してしまうというような事態を回避することができ、効率的な紙葉類の保管を実現させながらも紙葉類の取り扱いを好適に行えるものとすることができる。
【００４３】
ロックする角度を適宜設定できるようにするため、ストッパーＳＴは前記第一のヒンジを介して環状体を構成する一方の部材たる立柱部１１１に設けられた押接部Ｐと、凹部Ｑが設けられた他方の部材たるアーチ部１１２の表面とで形成されており、押接部Ｐがアーチ部１１２の表面に押圧を加えながら凹部Ｑに挿入されることで前記第一のヒンジの角度を保持するものとしているので、凹部Ｑの位置を適宜設定してヒンジをロックする角度を適宜設定することが可能となる。また、ロックした状態から一定以上の力を加えると、押接部Ｐがアーチ部１１２の表面をスライドしながら凹部Ｑの箇所を外れ、ロックが解除されるようになるため、使用者はヒンジをロックする動作及びロックを解除する動作を好適に行うことができる。
【００４４】
第一のヒンジを直伸状態たる起立位置Ｒでロックするため、ストッパーＳＴは他方の部材たるアーチ部１１２の端部に凹部Ｑを有し、該凹部Ｑに押接部Ｐを挿入することにより環状体を起立位置Ｒに保持しているものである。そうすることにより、部材同士の摩擦によって角度が保持されるようなヒンジ構造を採用する場合と比較して、直伸状態たる起立位置Ｒと折曲状態たる傾倒位置Ｆとの相互の移行を少ない力で行うことができる。また、連続的な使用により接触部分が摩耗して起立位置Ｒを保持できなくなる恐れもなく、連続的に使用しても他方の部材たるアーチ部１１２を起立位置Ｒで好適にロックさせることが可能となる。
【００４５】
さらにこのストッパーＳＴを構成している押接部Ｐを弾性部材と当接部材とからなるものとし、弾性部材はその一方が立柱部１１１の所定箇所に固定されるとともに他方において当接部材を支持し、該当接部材が他方の部材たるアーチ部１１２に当接している。そうすることにより押接部Ｐを構成する弾性部材と当接部材とをそれぞれ設定して弾性部材の弾性強度や当接部材の形状を適切なものとすることが可能となる。さらに、アーチ部１１２に設けた凹部Ｑの形状も併せて設定することにより、ヒンジを保持する強度、すなわちロックする強度を適切なものに設定することができる。具体的には、弾性部材としてコイルばねＳＰを用いることで、コイルばねＳＰの仕様を適宜設定すれば弾性強度を適切な強度に設定することができ、加えて、当接部材として球状体Ｂを用いることによりコイルばねＳＰの端部に取り付け易いだけでなく、アーチ部１１２を傾倒させる際にアーチ部１１２が押圧部Ｐを押圧する押圧力をその向きが変化しても安定して受け止め、コイルばねＳＰに好適に伝達することを可能にしている。
【００４６】
また、本実施形態に係る第二のヒンジは、両リング片１１、１２の間を閉じる際に、突出部１１２ｅが軸穴１２１ｅへ好適に挿入されるよう位置決めするためには、突出部１１２ｅの先端部分を半球状のように球面状に処理している。また、前記第二のヒンジの相対的な回転動作をスムーズにしてアーチ部１１２を好適に傾倒させるため、係合している突出部１１２ｅの先端部分及び軸穴１２１ｅが球面状に処理されている。
【００４７】
さらに、両リング片１１、１２の間を閉じる際に好適に突出部１１２ｅを軸穴１２１ｅへ案内させるため、第一のリング片１１の突端１１２ｄは部分球状のアール面としている。また、両リング片１１、１２に、部分球状のアール面を形成した突端１１２ｄ、１２１ｄをそれぞれ設けることにより、綴じ具１０を起立位置Ｒとした状態において紙葉類に設けた綴じ穴が第二のヒンジに引っかかりにくく好適に紙葉類の取り扱いができるとともに、綴じ具１０を傾倒位置Ｆとした状態や両リング片１１、１２を開放した状態においても指や他の物に引っかかりにくいものとしている。
【００４８】
なお、本発明は以上に詳述した実施形態に限られるものではない。例えば、リング片の立柱部、アーチ部の形状は図示例のようなものには限られない。アーチ部が屈曲しているようなものとすることも可能である。また、ヒンジの具体的な態様も、上記実施形態におけるようなものには限られない。勿論、ストッパーは、第二のヒンジに設けたものであっても、第一のヒンジ及び第二のヒンジの両方に設けたものであっても本発明の技術的範囲に属するものである。
【００４９】
その他各部の具体的構成は上記実施形態には限られず、本発明の趣旨を逸脱しない範囲で種々変形が可能である。
【図面の簡単な説明】
【００５０】
【図１】本発明の一実施形態におけるファイルの全体斜視図。
【図２】同部分斜視図。
【図３】同部分側面図。
【図４】同部分平面図。
【図５】綴じ具が構成する環状体の平面図。
【図６】環状体の部分断面図。
【図７】ファイルの部分平面図。
【図８】表表紙に成形すべき開口を示す部分正面図。
【図９】本発明の他の実施形態におけるファイルの部分平面図。
【図１０】環状体の部分斜視図。
【図１１】同部分斜視図。
【図１２】同部分断面図。
【図１３】同部分平面図。
【符号の説明】
【００５１】
１、１０…綴じ具
１１、１２…リング片
１１１、１２１…立柱部
１１２…アーチ部
１１２ａ、１２１ａ、１１２ｄ、１２１ｄ…突端
１１２ｂ、１１２ｅ…突出部
１２１ｂ、１２１ｅ…軸穴
１２１ｃ…欠損部
２…表紙体
２１…裏表紙
２３…表表紙
２４…開口
ＳＴ…ストッパー
Ｐ…押接部
ＳＰ…コイルばね
Ｂ…球状体
Ｑ…凹部
【図１】
2004243756.tif 000003
【図２】
2004243756.tif 000004
【図３】
2004243756.tif 000005
【図４】
2004243756.tif 000006
【図５】
2004243756.tif 000007
【図６】
2004243756.tif 000008
【図７】
2004243756.tif 000009
【図８】
2004243756.tif 000010
【図９】
2004243756.tif 000011
【図１０】
2004243756.tif 000012
【図１１】
2004243756.tif 000013
【図１２】
2004243756.tif 000014
【図１３】
2004243756.tif 000015